(57)【特許請求の範囲】
【請求項１】
所定のタイミングにおける１回の被測定者の体重測定値と、前記体重測定値の測定日時とを含む体重データを取得するための体重取得部と、日内の起床から就寝までのうち
前記体重取得部により取得された前記体重データをメモリに格納するための体重格納部と、
前記メモリに格納されている所定期間の前記体重データの体重測定値のうちから、代表体重値を算出するための代表体重算出部と、
算出された前記代表体重値と、日内目標減量値と、体重変動の要因となる測定値とから、前記所定のタイミングで体重値を測定する際の目標となるべき目標値を算出するための目標算出部と、を備える、体重管理装置。
【請求項２】
前記体重変動の要因となる測定値を取得するための変動要因取得部を、さらに備え、
前記変動要因取得部は、
被測定者の前記所定のタイミングで測定された生体インピーダンス値と、前記生体インピーダンス値の測定日時とを含むインピーダンスデータを取得するためのインピーダンス取得部と、
前記インピーダンス取得部により取得された前記インピーダンスデータをメモリに格納するためのインピーダンス格納部と、
前記メモリに格納されている前記所定期間の前記インピーダンスデータのインピーダンス値のうちから、代表インピーダンス値を算出するための代表インピーダンス算出部と、を含み、
算出された前記代表インピーダンス値と、前記メモリに格納されている最も直近の前記インピーダンスデータのインピーダンス値との差分インピーダンス値に基づく体内水分量を、前記体重変動の要因となる測定値として算出する、請求項１に記載の体重管理装置。
【請求項３】
前記体重変動の要因となる測定値を取得するための変動要因取得部を、さらに備え、
前記変動要因取得部は、
前記メモリに格納されている前記所定期間の前記体重データの測定日時のうちから、代表測定時間を算出するための代表時間算出部と、
算出された前記代表測定時間と、前記メモリに格納されている最も直近の前記体重データの測定日時が指す測定時間との差分時間における被測定者の基礎代謝量を算出するための基礎代謝算出部と、を含み、
算出された前記基礎代謝量に基づく体重値を、前記体重変動の要因となる測定値として算出する、請求項１または２に記載の体重管理装置。
【請求項４】
前記代表体重算出部は、
前記メモリに格納されている前記所定期間の前記体重データの体重測定値の平均を、前記代表体重値として算出する、請求項１から３のいずれかに記載の体重管理装置。
【請求項５】
前記代表体重算出部は、
前記メモリに格納されている前記所定期間の前記体重データの体重測定値に基づく回帰式を取得し、前記代表体重値として、前記回帰式に従って最も直近の体重値を算出する、請求項１から４のいずれかに記載の体重管理装置。
【請求項６】
前記所定のタイミングは、被測定者の起床から就寝までのうち就寝側のタイミングを指す、請求項１から５のいずれかに記載の体重管理装置。
【請求項７】
被測定者の起床から就寝までのうち就寝側のタイミングでの体重測定値である就寝側体重値と、前記所定期間の就寝中体重減少量の代表値とを用いて、予測される翌日の起床側体重値を算出するための予測体重算出部を、さらに備える、請求項１から６のいずれかに記載の体重管理装置。
【請求項８】
前記予測体重算出部は、
就寝側のタイミングで測定された生体インピーダンス値と、翌日の起床側のタイミングで測定された生体インピーダンス値とを取得し、取得した両方の生体インピーダンス値を用いて、所定換算式に従って、前記就寝中体重減少量を算出する、請求項７に記載の体重管理装置。
【請求項９】
前記予測体重算出部は、
前記メモリに格納されている前記所定期間の前記体重データの体重測定値に基づく回帰式と、前記所定期間の前記就寝中体重減少量に基づく回帰式とを取得するための回帰式取得手段を、含み、
前記回帰式取得手段により取得された両方の回帰式を用いて、予測されるＮ日後の体重値を算出する、請求項８に記載の体重管理装置。
【発明の詳細な説明】
【技術分野】
【０００１】
この発明は、体重管理装置に関し、特に、被測定者の体重を目標値を用いて管理するための体重管理装置に関する。
【背景技術】
【０００２】
従来より、肥満防止のために減量目的で体重管理する機能の提供が望まれていた。たとえば、特許文献１（特開２０１０−１８１３７７号公報）および特許文献２（特開２００８−３０４４２１号公報）では、日内の体重変動から目標値を算出する装置が示される。また、特許文献３（特開２００７−２２６７７５号公報）では、目標体重からの実際体重の偏差を１日単位で計算する。また、特許文献４（特開２０１０−２３７８０５号公報）では、目標減量体重を（現在の体重−目標体重）の式に従って算出する。
【先行技術文献】
【特許文献】
【０００３】
【特許文献１】特開２０１０−１８１３７７号公報
【特許文献２】特開２００８−３０４４２１号公報
【特許文献３】特開２００７−２２６７７５号公報
【特許文献４】特開２０１０−２３７８０５号公報
【発明の概要】
【発明が解決しようとする課題】
【０００４】
特許文献１と２では、日内体重変動を測定するために、同日に２回以上の体重測定が必要となってしまう。また、一般的に体重は日々の飲食の量、ならびに測定の時間により変動するが、特許文献３と４ではこれらの変動要因を考慮せずに、目標値を算出することから、算出された目標値が過度の減量となるような値となったり、または、減量の効果を奏さない値となるなどのバラつきが大きくなる。
【０００５】
それゆえに、この発明の目的は、１日に１回行った体重測定のデータから、減量のための目標値を導出する体重管理装置を提供することである。
【課題を解決するための手段】
【０００６】
この発明のある局面に従う体重管理装置は、日内の起床から就寝までのうち所定のタイミングにおける被測定者の体重測定値と、体重測定値の測定日時とを含む体重データを取得するための体重取得部と、体重取得部により取得された体重データをメモリに格納するための体重格納部と、メモリに格納されている所定期間の体重データの体重測定値のうちから、代表体重値を算出するための代表体重算出部と、算出された代表体重値と、日内目標減量値と、体重変動の要因となる測定値とから、所定のタイミングで体重値を測定する際の目標となるべき目標値を算出するための目標算出部と、を備える。
【発明の効果】
【０００７】
本発明によれば、日内の所定のタイミングにおける１回の体重測定による体重データから、体重の変動要因を考慮した減量のための目標値を導出することができる。
【図面の簡単な説明】
【０００８】
【図１】本発明の実施の形態に係る体組成計の外観を示す斜視図である。
【図２】本発明の実施の形態に係る体組成計とサーバとの構成を示すブロック図である。
【図３】本発明の実施の形態に係る体重体組成計が有する体重管理のための機能構成を示す図である。
【図４】本発明の実施の形態に係る変動要因取得部の機能構成図である。
【図５】本発明の実施の形態に係るサーバが有する体重管理のための機能構成を示す図である。
【図６】本発明の実施の形態に係る記憶部に格納される各種データを説明する図である。
【図７】本発明の実施の形態に係るメインフローチャートである。
【図８】本発明の実施の形態に係る分析処理のフローチャートである。
【図９】本発明の実施の形態に係る体内水分量を用いて変動要因を取得する処理のフローチャートである。
【図１０】本発明の実施の形態に係る計測時間を用いて変動要因を取得する処理のフローチャートである。
【図１１】本発明の実施の形態に係る測定体重値から導出される回帰式を説明するための図である。
【図１２】本発明の実施の形態に係る表示例を示す図である。
【図１３】本発明の実施の形態に係る夜間減少体重を説明する図である。
【図１４】本発明の実施の形態に係る夜間減少体重の平均を取得する手順を説明するための図である。
【図１５】本発明の実施の形態に係る表示例を示す図である。
【図１６】本発明の実施の形態に係る朝体重の変化と夜間減少体重から目標値を予測する手順を説明するための図である。
【図１７】本発明の実施の形態に係る朝体重の変化と夜間減少体重から目標値を予測する手順を説明するための図である。
【発明を実施するための形態】
【０００９】
以下、本発明の実施の形態について、図を参照して詳細に説明する。なお、以下に示す実施の形態においては同一または対応する部分に図中同一の符号を付し、その説明は繰返さない。
【００１０】
まず、用語を定義する。本実施の形態では体重測定に関する「朝時間」は、たとえば午前４時〜正午（昼の１２時）の時間帯を指し、「晩時間」は、たとえば午後７時〜午前２時の時間帯を指す。「朝体重」は、朝時間に測定された体重を指し、「晩体重」は晩時間に測定された体重を指す。説明を簡単にするために、就寝するために床に入る直前に体重（晩体重）が測定され、起床の直後に体重（朝体重）が測定されると想定する。
【００１１】
ここでは、「日内」とは、被測定者の起床時間から就寝時間までの一日を指し、起床から就寝までのうち所定のタイミングで１回の体重測定がされる。
【００１２】
「夜間減少体重」とは、就寝時間から起床時間までの間における発汗などの主に基礎代謝によって減少する就寝中体重減少量を指す。「日内目標減量値」とは、日内の目標とするべき体重の減量値を指す。
【００１３】
本実施の形態では、体重管理装置として、体重だけでなく同時に生体インピーダンス（以下、単にインピーダンスと称する）を測定することにより体脂肪率などの体組成情報も取得することができる体重体組成計を例示するが、単に体重のみを測定する機能を有した装置であってよい。その場合にはインピーダンスは、別の計測装置から受理すると想定する。
【００１４】
図１には、体重体組成計３の外観が示されて、図２には体重管理システム１の構成が示される。
【００１５】
図２の体重管理システム１は、体重体組成計３と、体重体組成計３と通信するサーバ（サーバコンピュータ）５を備える。図２では、説明を簡単にするために、サーバ５には１台の体重体組成計３が接続されるとしているが、複数台の体重体組成計３が接続されてもよい。図２では、体重体組成計３とサーバ５は無線または有線により通信する。なお、体重体組成計３とサーバ５との間でのデータの授受は通信によらず、記憶媒体を介して授受するようにしてもよい。
【００１６】
図１を参照して、体重体組成計３は、被測定者が手で持つ第１の匿体である表示操作部１０、被測定者が乗る第２の筐体である体重測定部３０とを備える。
【００１７】
表示操作部１０は、図２に示すように通信部１１、記憶部１２、計時部１３、操作部１４、表示部１５、定電流回路部１６、電源部１７、ＣＰＵ（Central Processing Unit）１８１を有する制御部１８、二重積分ＡＤ（Analog/Digital）部１９、インピーダンス検知部２０、および電極部２１を含む。
【００１８】
通信部１１は、制御部１８に接続されており、該制御部１８からの制御信号に従ってサーバ５と通信する。なお、通信部１１は、サーバ５に限らず、歩数計などの他の生体情報取得装置と通信する、あるいはパーソナルコンピュータや携帯情報端末(ＰＤＡ（Personal Digital Assistants）、携帯電話機など)と通信するなど、適宜の装置と通信するとしてもよい。
【００１９】
記憶部１２は、不揮発性のメモリやハードディスクなどの情報を記憶できる装置を含む。記憶部１２は、接続された制御部１８から制御信号に従って情報の読出しと書き込みがされる。
【００２０】
計時部１３は、現在日時などの時刻を計時するタイマまたはカウンタから構成される装置であり、時刻を制御部１８へ出力する。
【００２１】
操作部１４は、押下などの操作がされる複数のボタンまたはスイッチなど(図１参照)を含む。被測定者は操作部１４を操作することにより、個人識別子、性別、年齢、身長、体重などの被測定者の個人情報および身体情報を入力することができる。入力されたこれら情報は、制御部１８へ与えられる。
【００２２】
表示部１５は、液晶画面(図１参照)などの表示装置によって構成され、制御部１８から与えられる画像信号に従って文字や図形となどの画像を表示する。定電流回路部１６は、制御部１８の制御に基づいて、電源部１７から供給される高周波(交流)電流を電流印加用の電極部２１に一方向に流す。電源部１７は、制御部１８を含む各部に動作電力を供給する。
【００２３】
制御部１８は、ＣＰＵ１８１、および図示のないＲＯＭ（Read Only Memory）とＲＡＭ（Random Access Memory）を含むマイコン(マイクロコンピュータ)により構成されており、ＲＯＭ等に記憶されているプログラムおよびデータに従って各部の制御動作や演算動作を実行する。このプログラムおよびデータには、体重管理のためのプログラムおよびデータが含まれる。
【００２４】
二重積分ＡＤ部１９は、二重積分型のＡＤ変換部である。動作においては、インピーダンス検知部２０から出力されるアナログ信号（電圧信号）をデジタル信号に変換して制御部１８に出力する。
【００２５】
インピーダンス検知部２０は、体重測定部３０に設けられている電極部３６と表示操作部１０に設けられている電極部２１との電位差に基づいて、被測定者のインピーダンスを検出する。
【００２６】
電極部２１は、被測定者が手で持つ表示操作部１０のグリップ部分(図１参照)の表面に設けられる。電極部２１は、グリップ部分を握っている被測定者の手のひらへ電源部１７から供給される高周波(交流)電流を印加する。
【００２７】
体重測定部３０は、操作部３１、電池３２、荷重検知部３３、および電極部３６を含む。操作部３１は、電源のＯＮ／ＯＦＦを切り替えるために操作される入力スイッチとして機能し、操作部３１は操作されると操作に応じた入力信号を制御部１８に出力する。電池３２は、電源部１７を中心に各部へ電力を供給する。
【００２８】
荷重検知部３３は、複数のロードセル３４を内蔵する。筐体の上面カバーを兼ね備える上面カバー部３５(図１参照)の上に乗った被測定者の体重を測定する。測定された体重は、二重積分ＡＤ部１９に出力される。
【００２９】
電極部３６は、被測定者が乗る体重測定部３０の上面部分(図１参照)の表面に設けられており、被測定者の足裏から流れてくる電流を検出する電流測定用の電極である。電極部３６は、被測定者の左足指側、左足踵側、右足指側、右足踵側に接触する４つの電極を含む。
【００３０】
荷重検知部３３のロードセル３４のそれぞれは、体重測定部３０の上面部分にかかる荷重を測定することができるように、ここでは、電極部３６の各電極の下部に配置される。したがって、上面部分に被測定者が乗った場合に、インピーダンスと体重の両方を同時に測定することができる。
【００３１】
体重測定において、各ロードセル３４には、被測定者の体重による荷重がかかる。各ロードセル３４は、かけられる荷重に応じて変形する金属部材からなる歪体と、歪体に張られた歪ゲージとからなる。歪体が歪むと、歪ゲージが伸縮して歪ゲージの伸縮に応じて抵抗値が変化し、その抵抗変化は荷重信号出力として導出される。したがって、被測定者が上面部分に乗って、両足が各ロードセル３４にかかった場合、ロードセル３４にかけられる被測定者の体重により歪体が歪むと、上述の荷重信号出力の変化として体重が測定される。
【００３２】
なお、荷重を検出するための荷重センサとして、本実施の形態では、ロードセル３４を利用しているが、上面部へ加えられた力の量が検出できるものであれば、たとえば、ばねやピエゾフィルムを利用したセンサや、圧縮素子、変位センサなどであってもよい。
【００３３】
サーバ５は、通信部５１、ＣＰＵ５２１、ＲＯＭ、ＲＡＭを有するコンピュータからなる制御部５２、操作部５３、表示部５４、および記憶部５５を含む。
【００３４】
通信部５１は、制御部５２の制御に従って体重体組成計３とデータを送受信する。制御部５２のＣＰＵ５２１は、ＲＯＭなどに記憶されているプログラムおよびデータに従って各部の動作を制御するとともに、各種の演算を実行する。
【００３５】
操作部５３は、キーボードやマウスなどを含む。オペレータにより操作されることにより入力された信号は、制御部５２に出力される。
【００３６】
表示部５４は、液晶ディスプレイやＣＲＴ（Cathode Ray Tube）ディスプレイなどに相当する。表示部５４は、制御部５２から与えられる制御信号に従って絵または文字などの画像を表示する。
【００３７】
記憶部５５は、ハードディスクなどの固定の記憶装置、またはフレキシブルディスク、ＣＤ−ＲＯＭ（Compact Disk Read Only Memory）、ＲＯＭ（Read Only Memory）、ＲＡＭ（Random Access Memory）およびメモリカードなどのＣＰＵ５２１のコンピュータが読取り可能な記録媒体に相当する。
【００３８】
記憶部５５は、体重体組成計３で測定したデータ(体組成情報、体重データ、測定日時データなど)、および被測定者の氏名（識別子）や住所といった個人情報、身体情報（性別、身長、年齢など）などの被測定者に関する種々のデータが記憶される。
【００３９】
図３を参照して、体重体組成計３の体重管理に係る機能構成について説明する。図３には、ＣＰＵ１８１が有する機能と、関連する周辺回路が記載される。
【００４０】
ＣＰＵ１８１は、操作部３１または１４を介したユーザの操作を受付け、受付けた操作に基づく操作信号を出力する操作受付部６０、体重測定値と、その測定日時とを含む体重データを取得するための体重取得部６２、取得された体重データを記憶部１２の所定領域に格納するための体重格納部６４、代表体重算出部６６、目標算出部６８、体重変動の要因となる測定値を取得する変動要因取得部７０、体重の予測値を算出するための予測値算出部７２、表示部１５に情報を表示するための出力処理部７３、および通信部１１を介してサーバ５を含む外部装置と通信するための通信処理部７４を含む。
【００４１】
代表体重算出部６６は、記憶部１２に格納されている直近の所定期間に取得された体重データの体重測定値のうちから、代表体重値を算出する。目標算出部６８は、算出された代表体重値と、日内目標減量値と、体重変動の要因となる測定値とから、体重値を測定する際の目標となるべき目標値を算出する。
【００４２】
変動要因取得部７０は、被測定者の体重測定時に測定されたインピーダンス値と、その測定日時とを含むインピーダンスデータを取得するためのインピーダンス取得部８０、取得されたインピーダンスデータを記憶部１２に格納するためのインピーダンス格納部８２、および代表インピーダンス算出部８４を含む。代表インピーダンス算出部８４は、記憶部１２に格納されている直近の所定期間のインピーダンスデータのインピーダンス値のうちから、代表インピーダンス値を算出する。変動要因取得部７０は、算出された代表インピーダンス値と、最も直近に測定されたインピーダンス値との差分インピーダンス値に基づく体内水分量を、体重変動の要因となる測定値として算出する。
【００４３】
これら各部は、ＣＰＵ１８１によって実行されるプログラムにより実現される。このプログラムは、制御部１８の図示のないＲＯＭに予め格納されている。ＣＰＵ１８１は、ＲＯＭからプログラムを読出し、読み出したプログラムの命令を実行することにより、各部の機能が実現される。プログラムは、通信部１１によりサーバ５などの外部装置からダウンロードされて記憶部１２に格納された後に、ＣＰＵ１８１により記憶部１２から読出されて実行されるとしてもよい。
【００４４】
図３の変動要因取得部７０に代替して、または、変動要因取得部７０とともに図４の変動要因取得部７１を備えるようにしてもよい。変動要因取得部７０と７１の両方が備えられる場合には、被測定者は操作部１４（または操作部３１）を操作して動作させるべき一方の機能を選択することができる。なお、図４の変動要因取得部７１の詳細は後述する。
【００４５】
また、本実施の形態による体重管理機能は、図５の機能を有するサーバ５のＣＰＵ５２１により実現されてもよい。図５のサーバ５の詳細は後述する。
【００４６】
図６を参照して、記憶部１２に格納される各種データを説明する。体重体組成計３が複数の被測定者により共用される場合には、図６のデータは被測定者毎に格納される。ここでは、説明を簡単にするために体重体組成計３を利用する被測定者は１人であると想定する。
【００４７】
体重測定部３０による体重データは、測定がされる毎に、記憶部１２には図６の（Ａ）に示す測定データ４０が格納される。測定データ４０は、実際に測定された体重値を指すデータ４０１、目標算出部６８が算出した目標値である体重値を指すデータ４０２、計時部１３の計時データに基づいた測定の日時を指すデータ４０３、および体重測定と同時に測定されたインピーダンス値を指すデータ４０４を関連付けて含む。データ４０１と４０３は前述の体重データを指し、データ４０４と４０３は前述のインピーダンスデータを指す。
【００４８】
データ４０４は、体重測定時にインピーダンス検知部２０により測定されたインピーダンス値を指すとしているが、データ４０４の取得方法はこれに限定されない。たとえば、インピーダンスは別の装置で測定されて、その値を通信部１１を介し受信し、記憶部１２にデータ４０４として格納されるとしてもよく、または、被測定者が操作部１４（または操作部３１）から入力した値を記憶部１２にデータ４０４として格納するとしてもよい。いずれにしても、測定データ４０のデータ４０４が指すインピーダンスと、データ４０１が指す体重値とは、ほぼ同時期に測定された値を指すものとする。記憶部１２は、複数週間分、または複数月分の測定データ４０を記憶可能な容量を有する。
【００４９】
図６の（Ｂ）に示す日内目標減量値データ４１は、被測定者の減量の目標を達成するための１日当たりの体重の減量値を指す。
【００５０】
図６の（Ｃ）には目標設定日データ４２が示される。目標設定日データ４２は、被測定者が体重体組成計３を用いてダイエットなどの体重管理を開始した日付けを指す。つまり、被測定者により体重管理のための図６の（Ｂ）〜（Ｆ）のデータが設定（入力）された日付けを指す。
【００５１】
図６の（Ｄ）に示す長期目標増減量データ４３は、被測定者が操作部１４を操作することにより入力した体重増減量の目標値を指す。本実施の形態では、減量のための体重管理であるので、マイナス値が入力される。
【００５２】
図６の（Ｅ）に示す目標達成期間データ４４は、被測定者が操作部１４を操作することにより設定した目標達成期間を記憶する。目標達成期間は、長期目標増減量データ４３に減量をどれくらいの期間で実現したいかを示す期間である。
【００５３】
ＣＰＵ１８１は、長期目標増減量を目標達成期間の日数で除算した一日のノルマとなる日内増減量が所定範囲内に収まるか否かの適正判定を実行する。そして、適正判定で所定範囲外と判定した場合、出力処理部７３を介して表示部１５にエラー表示する。そして、所定範囲内と判定されるまで被測定者に対して目標達成期間の再入力を促す。これにより、体に負担のかかる無理な減量となるのを抑制することができる。
【００５４】
適正と判定された日内増減量は、日内目標減量値データ４１として記憶部１２に格納される。
【００５５】
体重の変動に関して、発明者らの実験によれば、健康な成人であれば、１ヶ月間の減量（または増量）は、現在の体重の所定範囲内の増減率、すなわち２％〜１０％の量に留めることが健康を害さない量であるとの知見を得た。したがって、本実施の形態では、１ヶ月間の減量が、現在の体重の２％〜１０％の量となるように決定される。
【００５６】
図６の（Ｆ）に示す初期体重データ４５は、ダイエットなどの体重管理を開始した初期日時の測定体重、すなわち目標設定日データ４２が指す日付けに測定された体重を指す。
【００５７】
これにより、初期体重データ４５に長期目標増減量データ４３を加算した体重が、ダイエット完了など体重管理完了の目標日付（すなわち、目標設定日データ４２に目標達成期間データ４４を加算した日付）の目標体重を指すことになる。
【００５８】
図７〜図１０は、体重体組成計３の制御部１８のＣＰＵ１８１が実行する動作を示すフローチャートである。ここで、ダイエット目的の体重管理を実行するための処理を、これらのフローチャートに従って説明する。これらフローチャートは、予めプログラムとして制御部１８内のメモリまたは記憶部１２に格納されており、ＣＰＵ１８１がプログラムを読出し、その命令を実行することにより処理が実現される。
【００５９】
なお、記憶部１２には、図６に示したデータ４１〜データ４５が予め格納されていると想定する。被測定者は、毎日、晩時間の１回だけ体重を測定し、記憶部１２には、目標設定日データ４２が指す日付けから十分な件数分の、たとえば過去１０日分の測定データ４０が既に格納されていると想定する。
【００６０】
図７を参照して、ＣＰＵ１８１は、被測定者による操作部１４の操作による電源ＯＮの指示を入力して起動し（ステップＳ１）、上面カバー部３５（図１参照）に乗った被測定者の体重を荷重検知部３３により測定する（ステップＳ５）。このとき、ＣＰＵ１８１は、体重測定部３０の電極部３６と表示操作部１０の電極部２１を通じて、インピーダンス検知部２０（図２参照）によって検知されるインピーダンスに基づき体組成情報を算出することができる。また、体重取得部６２およびインピーダンス取得部８０は、二重積分ＡＤ部１９から測定された体重値および検知されたインピーダンス値を入力する。入力した、これら値は、体重格納部６４およびインピーダンス格納部８２により記憶部１２にデータ４０１および４０４として関連付けて格納されるとともに、計時部１３の出力に基づく測定日時のデータ４０３も、これらデータに関連付けて格納される。これにより、記憶部１２には今回の体重測定による測定データ４０が格納される（ステップＳ８）。
【００６１】
その後、ＣＰＵ１８１により測定データ４０の分析処理が実行され（ステップＳ１１）、目標値を含む処理結果は表示部１５に表示される（ステップＳ１３）。ＣＰＵ１８１は、その後、電源をＯＦＦし（ステップＳ１５）、処理を終了する。
【００６２】
図８は、分析処理（図７のステップＳ１１参照）のフローチャートである。本実施の形態では、代表体重算出部６６は、ステップＳ５の体重測定の前日までの、すなわち直近までの所定期間（より好ましくは前日までの過去７日間）の測定データ４０のデータ４０１を記憶部１２から読出し、読出した７日間のデータ４０１が指す測定体重値の代表値として平均値を算出する（ステップＳ２１）。
【００６３】
次に、体重変動をもたらす要因の１つである摂取した水分量を取得する（ステップＳ２３）。つまり、日中に多くの水分量を摂取すると体重は増加するが、摂取した水分は就寝中の基礎代謝による発汗となり翌朝には、その分、体重は減少する。ここで、一時的に体内水分量が増加したとしても、長期的には体重増加に寄与しないことが知られている。したがって、翌日の正確な目標値を取得するためには、日中に摂取して体内に残っている水分量を考慮する必要がある。
【００６４】
図９のフローチャートに従って変動要因取得部７０による被測定者の体内の水分量を取得する処理を説明する。
【００６５】
変動要因取得部７０は、ステップＳ５で取得したインピーダンス値と、代表インピーダンス算出部８４が算出する代表インピーダンス値の差分を算出し、その差分と所定値Ｘ（たとえば、１００Ω）とを比較する（ステップＳ３１）。ここで、代表インピーダンス算出部８４は、代表インピーダンスとして、体重と同様に直近までの所定期間の測定データ４０のデータ４０４を記憶部１２から読出し、読出したデータ４０４が指すインピーダンス値の平均値を算出し、これを代表インピーダンス値として出力する。
【００６６】
なお、所定値Ｘとして、本実施の形態では体重の変動をもたらす最低値として１００Ωを用いたが、これに限定されず、被測定者毎に過去のインピーダンスの変動と体重の変動とから所定値Ｘを可変に決定するようにしてもよい。
【００６７】
変動要因取得部７０は比較結果に基づき（差分＞所定値Ｘ）の条件が成立すると判定すると（ステップＳ３１でＹＥＳ）、変動要因＝（ステップＳ５で測定したインピーダンス値に基づく水分量−代表インピーダンス値に基づく平均水分量）を算出し、算出した値を変動要因として出力する。一方、（差分＞所定値Ｘ）の条件が成立しないと判定すると（ステップＳ３１でＮＯ）、変動要因として０（ゼロ）を出力する（ステップＳ３５）。変動要因を出力後は、元の処理に戻る。
【００６８】
このように、晩時間に測定したインピーダンス値が直近の所定期間の代表インピーダンス値よりも小さいならば（ステップＳ３１でＹＥＳ）、いつもより多くの水分を体内に摂取した状態にあるので、新陳代謝によれば夜間減少体重は多くなるはずである。したがって、ステップＳ５の晩時間に測定した体重値は、当該水分量の影響を受けて本来の体重とは違うから、正確な目標値は、当該水分量を用いて算出するべきである。
【００６９】
変動要因が取得されると図８の処理に戻る。目標算出部６８は、算出された代表体重値から日内目標減量値データ４１の値を減算し、減算後の値から変動要因の値を差し引くことにより、目標値を算出する（ステップＳ２５）。算出された目標値は、ステップＳ８で格納された測定データ４０にデータ４０２として格納される（ステップＳ２７）。その後、図７の元の処理に戻る。
【００７０】
（体水分量推定方法）
本実施の形態では、体水分量が多いほど、生体インピーダンスは小さくなるとの関係性に基づき、測定されたインピーダンスの変動から体水分量を算出してもよい。たとえば、特開２００２−１１２９７６号公報の算出方法を用いることができる。
【００７１】
つまり、測定されたインピーダンスから算出されるパラメータＲｅおよびＲｉと、個人情報として入力された身長（Ｈ）、測定された体重（Ｗ）とに基づいて、細胞内液量ＩＣｗと細胞外液量ＥＣｗを算出し、体水分量ＴＢｗ＝ＩＣｗ＋ＥＣｗを算出する。
【００７２】
ＩＣｗ＝Ｋｉ１×Ｈ２／Ｒｉ＋Ｋｉ２×Ｗ＋Ｋｉ３
ＥＣｗ＝Ｋｅ１×Ｈ２／Ｒｅ＋Ｋｅ２×Ｗ＋Ｋｅ３
ＴＢｗ＝ＩＣｗ＋ＥＣｗ
ただし、Ｋｉ１、Ｋｉ２、Ｋｉ３、Ｋｅ１、Ｋｅ２、Ｋｅ３は所定係数である。また、測定された生体インピーダンスからパラメータＲｅおよびＲｉを算出する方法は、特開２００２−１１２９７６号公報に詳述されるので、ここでは説明を略す。
【００７３】
（変動要因取得部の他の例）
上述の変動要因取得部７０は、変動要因の測定値としてインピーダンスに基づく摂取水分量を取得したが、変動要因取得部７１を用いて、変動要因の測定値として、体重の測定時間のばらつきによる体重の増減値を取得するようにしてもよい。つまり、基礎代謝によっても体重は変動するので、目標値を正確に算出するには、毎日同じ時間帯に、より好ましくは同じ時間に測定された体重値を用いる必要がある。
【００７４】
ここでは、測定時間のばらつきに伴う体重の変動要因を取得するために、変動要因取得部７１は、被測定者の基礎代謝による１時間あたりの体重の減少量を算出する。具体的には、（被測定者の１日の基礎代謝量/２４時間）を用いて時間当たりの基礎代謝量（Ｋcal）を算出し、算出した時間当たりの基礎代謝量を体重値に換算する。ここで、１日の基礎代謝量は、体重、身長、年齢、および性別のパラメータを用いた公知の関数を用いて算出することができる。
【００７５】
一般に、脂肪１ｇを消費するには９Ｋｃａｌ（ただし、人の脂肪は２０％は水分を含むため、おおよそ７Ｋｃａｌ）が必要とされ、炭水化物１ｇを消費するには４Ｋｃａｌ、たんぱく質１ｇを消費するには４Ｋｃａ必要とされることから、変動要因取得部７１は、これらの消費Ｋｃａｌと、算出された１時間当たりの基礎代謝量とから、被測定者の基礎代謝による１時間当たりの体重の減少量を算出することができる。
【００７６】
図４を参照して、変動要因取得部７１は、記憶部１２に格納されている直近の所定期間の、たとえば直近の７日間の測定データ４０のデータ４０３が指す測定日時のうちから、代表測定時間を算出するための代表時間算出部８６と、基礎代謝算出部８７とを含む。基礎代謝算出部８７は、算出された代表測定時間と、記憶部１２に格納されている最も直近の体重データの測定日時、すなわちステップＳ５で測定された体重値の測定時間との差分を算出し、算出した差分における被測定者の基礎代謝量を算出する。変動要因取得部７１は、基礎代謝算出部８７が算出した基礎代謝量を、上述の手順に従って体重の減少量に換算する。算出された体重の減少量を、変動の要因の測定値として取得される。
【００７７】
なお、目標値を正確に算出するために、変動要因取得部７０と７１の両方が変動要因の測定値を取得して、それら値の平均値を最終的な変動要因の測定値として用いるとしてもよい。
【００７８】
図１０のフローチャートに従って変動要因取得部７１による処理を説明する。
変動要因取得部７１は、ステップＳ５で取得した測定時間と、代表時間算出部８６が算出する代表測定時間の差分を算出し（ステップＳ４１）、その差分と所定値Ｙとを比較する（ステップＳ４３）。ここで、代表時間算出部８６は、代表測定時間として、体重と同様に直近までの所定期間、より好ましくは前日までの７日間の測定データ４０のデータ４０４を記憶部１２から読出し、読出した７日間のデータ４０３が指す晩時間の代表値として平均値を算出する。
【００７９】
変動要因取得部７１は比較結果に基づき（差分＞所定値Ｙ）の条件が成立すると判定すると（ステップＳ４３でＹＥＳ）、上述した手順に従って、差分時間あたりの被測定者の基礎代謝量に相当する体重の減少量を、変動要因となる測定値として算出し、出力する（ステップＳ４５）。一方、（差分＞所定値Ｙ）の条件が成立しないと判定すると（ステップＳ４３でＮＯ）、変動要因の測定値として０（ゼロ）を出力する（ステップＳ４７）。変動要因の測定値を出力後は、元の処理に戻る。
【００８０】
このように、体重測定時間のばらつきによる体重の変動要因を基礎代謝量から取得することができる。
【００８１】
図８に戻り、目標算出部６８は、算出された代表体重値から日内目標減量値データ４１の値を減算し、減算後の値から変動要因取得部７１が取得した変動要因の測定値を差し引くことにより、目標値を算出する（ステップＳ２５）。算出された目標値は、ステップＳ８で格納された測定データ４０にデータ４０２として格納される（ステップＳ２７）。その後、図７の元の処理に戻る。
【００８２】
（代表体重値算出の変形例）
上述の代表体重算出部６６は、代表体重値として測定体重値の平均値を算出したが、算出方法はこれに限定されない。
【００８３】
代表体重算出部６６は、直近の所定期間のデータ４０１が指す測定体重値から、測定体重値の時系列の変化を表す１次関数の式（ｆ（ｘ）＝Ａｘ＋Ｂ）、すなわち回帰式を算出し、式を用いて前日の晩体重を算出し、算出した前日の晩体重を代表体重値として導出するとしてもよい。たとえば、式の変数Ｂに７日前のデータ４０１が指す測定体重値を代入し、変数Ａに式の傾きの値を代入し、変数ｘに“７”を代入して関数ｆ（ｘ）の値を算出することで、前日の体重である代表体重値を算出することができる。なお、式における、所定期間の日数を指す変数ｘの値は、“７”に限定されず“８”以上であってもよい。
【００８４】
回帰式を用いる他の方法として、７日間毎の測定体重の平均を用いても良い。具体的には、代表体重算出部６６は、i）記憶部１２の測定データ４０の直近の所定期間（７日間以上）を、たとえば７日間毎の単位期間に区切り、ii）区切られた各単位期間のデータ４０１が指す測定体重値の平均値を算出し、iii）平均値の時系列の変化を表す１次関数の式（ｆ（ｘ）＝Ａ’ｘ＋Ｂ’）、すなわち回帰式を算出し、iv）当該式から前日の体重を算出する。算出された前日の体重は代表体重値として導出される。
【００８５】
（Ｎ日後の予測値の算出）
本実施の形態では、予測値算出部７２は、記憶部１２に格納されている測定データ４０に基づき体重の予測値を算出する。算出した予測値は、出力処理部７３を介して表示部１５に表示される。体重の予測値は、上述した回帰式を用いて算出することができる。
【００８６】
図１１を参照して回帰式の一例を説明する。図１１には、縦軸に体重値が、横軸に時間がとられて、データ４０１が指す測定体重値の変化を示すグラフ３０２と、グラフ３０２から推定された１次関数式（回帰式）を表すグラフ３０１とが示される。
【００８７】
予測値算出部７２は、図１１のグラフ３０１の式（ｆ（ｘ）＝Ａｘ＋Ｂ）を用いて、予測体重値を算出する。具体的には、ステップＳ５で測定された今日の体重値を値ＣＷとし、Ｎ（ただし、Ｎ≧１の整数）日後の予測体重値＝ＣＷ＋（Ａ×Ｎ）として算出する。変数“Ｎ”の値は、被測定者が操作部１４（または操作部３１）から入力することができる。なお、Ｎ日後の予測体重値から、日内目標減量値データ４１の値を減算することにより、Ｎ日後の目標値（図１１の値３００）を予測することができる。
【００８８】
図１２には、表示部１５における予測体重値の表示例が示される。表示部１５には、Ｎ日後の予測目標値も表示される。予測目標値は、図１２と同一画面に表示されてもよく、または別画面にＮ日後の予測目標値も表示してもよい。
【００８９】
このように予測体重値を提示することで、被測定者に対し、減量のペースを判断するための指針を与えることができる。
【００９０】
（夜間減少体重から翌朝の予測値を算出）
予測値算出部７２は、ステップＳ５で測定した体重と、夜間減少体重の平均値とから、翌日の朝体重の予測値を算出する。
【００９１】
図１３に示すように、人の体重は朝から晩にかけて増加し、晩から朝にかけて夜間減少体重だけ減少する傾向がある。本実施の形態は、夜間減少体重を算出するために、朝と晩にインピーダンスが測定される。予測値算出部７２は、測定されたインピーダンスを用いて上述の（体水分量推定方法）で示した手順を用いて朝と晩の体内水分を算出し、その差分を夜間減少体重値として算出する。
【００９２】
予測値算出部７２は、直近の所定期間内の夜間減少体重値を取得し、その平均値を算出する（図１４参照）。そして、ステップＳ５で測定した体重値から当該平均値を減算することにより、翌日の朝体重の予測値を取得することができる。
【００９３】
また、ＣＰＵ１８１は、翌日の朝体重の予測値から日内目標減量値データ４１の値を減算することにより、翌日の晩体重の目標値を取得することができる。
【００９４】
図１５には、出力処理部７３による表示部１５における表示例が示される。図１５では、予測値算出部７２により算出された翌日の朝体重の予測値と、翌日の晩体重の目標値とが表示される。
【００９５】
（朝体重の変化と夜間減少体重から目標値を予測する）
上述した実施の形態では、毎日、ステップＳ５で測定する体重は晩体重であるとしたが、晩体重に代替して朝体重が測定されて、目標算出部６８は朝体重から晩体重である目標値を予測するとしてもよい。以下は、毎日、１回測定される体重は朝体重であると想定する。
【００９６】
図１６には縦軸に体重および横軸に時間がとられて、データ４０１が指す朝体重の変化を示すグラフ４０２と、グラフ４０２の測定値から推定された１次関数式（回帰式）を示すグラフ４０１とが示される。グラフ４０１は傾きＭを有する。図１７には縦軸に夜間減少体重および横軸に時間がとられて、夜間減少体重の変化を示すグラフ５０２と、グラフ５０２の値から推定された１次関数式（回帰式）のグラフ５０１とが示される。グラフ５０１は傾きＬを有する。
【００９７】
したがって、Ｎ日後の晩体重である目標値は、（ステップＳ５で測定した朝体重＋（α×Ｎ×Ｍ＋β×Ｎ×Ｌ））の式に従って算出することができる。ここで、変数αとβは、重み係数を指す。
【００９８】
（他の実施の形態）
上述の実施形態では、体重体組成計３により体重管理のための全ての演算を行ったが、体重体組成計３に代替してサーバ５で実施する構成であってもよい。以下に、サーバ５の機能を説明する。
【００９９】
サーバ５で実施する場合、体重体組成計３は、ステップＳ８での格納処理とともにサーバ５へ測定データ４０を送信する。そして、サーバ５の制御部５２のＣＰＵ５２１は、体重体組成計３から測定データ４０を取得し、上述の各フローチャートに従う処理を実行する。データは記憶部５５に格納されて、表示部５４により情報が表示される。
【０１００】
サーバ５は、表示部５４の画面に表示する情報を体重体組成計３に送信するようにしてもよい。体重体組成計３は、サーバ５から情報を受信して、表示部１５に受信情報を表示する。
【０１０１】
図５を参照して、サーバ５の体重管理に係る機能構成について説明する。図５には、ＣＰＵ５２１が有する機能と、関連する周辺回路が記載される。
【０１０２】
ＣＰＵ５２１は、操作部５３を介したユーザの操作を受付け、受付けた操作に基づく操作信号を出力する操作受付部５３０、体重体組成計３から送信される測定データ４０を取得する体重取得部５３２、取得された測定データ４０を記憶部５５の所定領域に格納するための体重格納部５３４、代表体重算出部５３６、目標算出部５３８、体重変動の要因となる測定値を取得する変動要因取得部５４０、体重の予測値を算出するための予測値算出部５４２、表示部５４に情報を表示するための出力処理部５４３、および通信部５１を介して体重体組成計３を含む外部装置と通信するための通信処理部５４４を含む。これら各部は、図３の対応する各部と同様の機能を有する。
【０１０３】
図５の各部は、ＣＰＵ５２１によって実行されるプログラムにより実現される。このプログラムは、制御部５２の図示のないＲＯＭに予め格納されている。ＣＰＵ５２１は、ＲＯＭからプログラムを読出し、読み出したプログラムの命令を実行することにより、各部の機能が実現される。プログラムは、通信部５１により図示のないサーバなどの外部装置からダウンロードされて記憶部５５に格納された後に、ＣＰＵ５２１により記憶部５５から読出されて実行されるとしてもよい。
【０１０４】
また、上述の実施の形態では、インピーダンス検知部２０で検出する被測定者のインピーダンスから基礎代謝量または体内水分を算出するとしたが、算出される体組成情報は基礎代謝量などに限定されない。たとえば、インピーダンスと、記憶部１２に記憶された被測定者の身長、年齢、性別と、荷重検知部３３により検出した体重をもとに、体脂肪率、ＢＭＩ（Body Mass Index）、内臓脂肪レベル、骨格筋率、および、体年齢などを算出して、体重とともに出力するようにしてよい。
【０１０５】
さらに、本実施の形態における体重体組成計３が行なう上述した体重管理の方法は、プログラムとして提供することもできる。このようなプログラムは、制御部１８または制御部５２のコンピュータに付属するフレキシブルディスク、ＣＤ−ＲＯＭ（compact disk read only memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１０６】
提供されるプログラム製品は、ハードディスクなどのプログラム格納部にインストールされてＣＰＵ１８１（または５２１）により読出されて実行される。なお、プログラム製品は、プログラム自体と、プログラムが記録された記録媒体とを含む。
【０１０７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０８】
１  体重管理システム、３  体重体組成計、５  サーバ、１８，５２  制御部、２０  インピーダンス検知部、３０  体重測定部、４０  測定データ、４１  日内目標減量値データ、４２  目標設定日データ、４３  長期目標増減量データ、４４  目標達成期間データ、４５  初期体重データ、６０，５３０  操作受付部、６２，５３２  体重取得部、６４，５３４  体重格納部、６６，５３６  代表体重算出部、６８，５３８  目標算出部、７０，７１，５４０  変動要因取得部、７２，５４２  予測値算出部、７３，５４３  出力処理部、７４，５４４  通信処理部、８０  インピーダンス取得部、８２  インピーダンス格納部、８４  代表インピーダンス算出部、８６  代表時間算出部、８７  基礎代謝算出部。
【図１】
0005853533.tif 000002
【図２】
0005853533.tif 000003
【図３】
0005853533.tif 000004
【図４】
0005853533.tif 000005
【図５】
0005853533.tif 000006
【図６】
0005853533.tif 000007
【図７】
0005853533.tif 000008
【図８】
0005853533.tif 000009
【図９】
0005853533.tif 000010
【図１０】
0005853533.tif 000011
【図１１】
0005853533.tif 000012
【図１２】
0005853533.tif 000013
【図１３】
0005853533.tif 000014
【図１４】
0005853533.tif 000015
【図１５】
0005853533.tif 000016
【図１６】
0005853533.tif 000017
【図１７】
0005853533.tif 000018